(57)【要約】【課題】  ＴＳ録画モード及びＰＳ録画モードに対応して追いかけ再生可能に複数の録画を行なうことができる情報記録装置及び情報記録方法を提供する。【解決手段】  磁気ディスクの記録可能領域にＴＳ録画モード及びＰＳ録画モードにより画像情報を記録するドライブ部と、ドライブ部が認識した磁気ディスクの記録可能領域にＴＳ録画モード又はＰＳ録画モードにより画像情報の記録を開始する際に記録開始順序に応じた画像情報の第１管理情報（１０１，１０３）を生成し、ＴＳ録画モード又はＰＳ録画モードによる情報の記録が完了してファイルを格納する際にファイル格納順序に応じた画像情報の第２管理情報（１０２，１０４）を生成する制御部をもつ情報記録装置。【選択図】図６
2008027561.tif 000002
【特許請求の範囲】
【請求項１】
磁気ディスクの記録可能領域にＴＳ録画モード及びＰＳ録画モードにより画像情報を記録するドライブ部と、
前記ドライブ部が認識した前記磁気ディスクの記録可能領域に前記ＴＳ録画モード又はＰＳ録画モードにより画像情報の記録を開始する際に記録開始順序に応じた前記画像情報の第１管理情報を生成し、前記ＴＳ録画モード又はＰＳ録画モードによる情報の記録が完了してファイルを格納する際にファイル格納順序に応じた前記画像情報の第２管理情報を生成する制御部を具備することを特徴とする情報記録装置。
【請求項２】
前記制御部は、前記ＴＳ録画モードで画像情報を記録する場合は、前記第１管理情報はＳＯＢＩ情報であり、前記ＰＳ録画モードで画像情報を記録する場合は、前記第１管理情報はＶＯＢＩ情報であることを特徴とする請求項１記載の情報記録装置。
【請求項３】
前記制御部は、複数の前記第２管理情報の順序を変更することを特徴とする請求項１記載の情報記録装置。
【請求項４】
磁気ディスクに前記ＴＳ録画モード又はＰＳ録画モードにより画像情報の記録を開始する際に、記録開始順序に応じた前記画像情報の第１管理情報を生成し、
前記ＴＳ録画モード又はＰＳ録画モードによる情報の記録が完了してファイルを格納する際に、ファイル格納順序に応じた前記画像情報の第２管理情報を生成することを特徴とする情報記録方法。
【請求項５】
前記ＴＳ録画モードで画像情報を記録する場合は、前記第１管理情報はＳＯＢＩ情報であり、前記ＰＳ録画モードで画像情報を記録する場合は、前記第１管理情報はＶＯＢＩ情報であることを特徴とする請求項４記載の情報記録方法。
【請求項６】
複数の前記第２管理情報の順序を変更することを特徴とする請求項４記載の情報記録方法。
【発明の詳細な説明】
【技術分野】
【０００１】
この発明は、ＴＳ録画モード又はＰＳ録画モードにより記録媒体に画像情報を記録する情報記録装置及び情報記録方法に関する。
【背景技術】
【０００２】
最近、デジタル画像技術の普及に応じて、画像の高画質化が進み、複数の画像モードが同時に使用されている情況がある。すなわち、一般的な画像情報の情報記録装置（例えばハードディスクドライブ内蔵のＤＶＤ（Digital Versatile Disc）レコーダ等）において、従来のＭＰＥＧ（Moving Picture Expert Group）ファイルやアナログ放送信号、現行ＤＶＤ等の映像信号を扱うＰＳ（Program Stream）録画モードによる記録処理と共に、地上波デジタル放送や、アライブ規格であるＴＳ（Transport Stream）録画モードによる記録処理が行なわれている。
【０００３】
特許文献１は、初期状態においては、ハードディスクのデータ記録領域が、反復記録領域、情報保存領域として管理されている。記録モードのときは、この反復記録領域に入力情報が記述され、満杯状態になると、最初に記録された部分から重ね書きが行なわれる。ここで、一部の記録データを保存するための操作がなされると、その保存データが、情報保存領域の一部に保存データとして書き移すことにより、情報記録再生媒体に対する領域管理を行い記録ミス、保存ミスを低減させるものである。
【特許文献１】特開２００３−３６６４９公報（段落００３８、図４）
【発明の開示】
【発明が解決しようとする課題】
【０００４】
しかし、特許文献１の従来技術は、複数の画像情報を同時に記録する際に管理情報をどのような順序で生成するかの記載がない。従って、ハードディスクレコーダ等で通常に行なわれる記録しながら再生する所謂『追いかけ再生』にどのように対応するかがわからない。また、管理情報がＴＳ録画モード又はＰＳ録画モードにどのように対応しているかがわからない。
【０００５】
本発明は、ＴＳ録画モード及びＰＳ録画モードに対応して追いかけ再生可能に複数の録画を行なうことができる情報記録装置及び情報記録方法を提供することを目的とする。
【課題を解決するための手段】
【０００６】
課題を解決するための手段の一例は、磁気ディスク（ＨＤＤ）の記録可能領域にＴＳ録画モード及びＰＳ録画モードにより画像情報を記録するドライブ部（１５）と、前記ドライブ部が認識した前記磁気ディスクに前記ＴＳ録画モード又はＰＳ録画モードにより画像情報の記録を開始する際に記録開始順序に応じた前記画像情報の第１管理情報（１０１，１０３）を生成し、前記ＴＳ録画モード又はＰＳ録画モードによる情報の記録が完了してファイルを格納する際にファイル格納順序に応じた前記画像情報の第２管理情報（１０２，１０４）を生成する制御部（１９）を具備することを特徴とする情報記録装置である。
【発明の効果】
【０００７】
上記の情報記録装置により、記録開始時に生成される管理情報により追いかけ再生が可能となり、記録完了時に生成される管理情報によりＴＳ録画モード及びＰＳ録画モードに対応した画像情報の再生が可能となる。
【発明を実施するための最良の形態】
【０００８】
以下、この発明の実施の形態について図面を参照して詳細に説明する。  
図１は、本発明の一実施形態に係る情報記録装置の構成の一例を示すブロック図である。図２は、本発明の一実施形態に係る情報記録装置における記録時の管理情報の生成処理の一例を示すフローチャートである。図３は、本発明の一実施形態に係る情報記録装置における記録時の管理情報の生成処理の一例を示すフローチャートである。図４は、本発明の一実施形態に係る情報記録装置が扱う複数のファイルの一例を示す説明図である。図５は、本発明の一実施形態に係る情報記録装置における記録領域、未記録領域の遷移の一例を示す遷移図である。図６は、本発明の一実施形態に係る情報記録装置におけるＴＳ録画モードにおける管理情報の変遷の一例を示す説明図である。図７は、本発明の一実施形態に係る情報記録装置におけるＰＳ録画モードにおける管理情報の変遷の一例を示す説明図である。図８は、本発明の一実施形態に係る情報記録装置におけるMovie VOB Information（Ｍ＿ＶＯＢＩ）の一例を示す説明図である。図９は、本発明の一実施形態に係る情報記録装置におけるMovie VOB General Information（Ｍ＿ＶＯＢ＿ＧＩ）の一例を示す説明図である。図１０は、本発明の一実施形態に係る情報記録装置におけるStream Object Information（ＳＯＢＩ）の一例を示す説明図である。図１１は、本発明の一実施形態に係る情報記録装置におけるSOBI General Information（ＳＯＢＩ＿ＧＩ）の一例を示す説明図である。図１２は、本発明の一実施形態に係る情報記録装置におけるSOB Time Map Information（ＳＯＢ＿ＴＭＡＰＩ）の一例を示す説明図である。図１３は、本発明の一実施形態に係る情報記録装置におけるSOB Time Map General Information（ＳＯＢ＿ＴＭＡＰＩ＿ＧＩ）の一例を示す説明図である。図１４は、本発明の一実施形態に係る情報記録装置におけるSOB情報の変遷の一例を示す説明図である。図１５は、本発明の一実施形態に係る情報記録装置における記録終了直後のＳＯＢＩの並び順の一例を示す説明図である。図１６は、本発明の一実施形態に係る情報記録装置における記録終了直後の録画用ファイル、保存用ファイルの状態の一例を示す説明図である。図１７は、本発明の一実施形態に係る情報記録装置における記録終了直後のナビゲーションデータ値の一例を示す説明図である。図１８は、本発明の一実施形態に係る情報記録装置における記録済み領域移動直前のＳＯＢＩの並び順の一例を示す説明図である。図１９は、本発明の一実施形態に係る情報記録装置における記録済み領域移動直前の録画用ファイル、保存用ファイルの状態の一例を示す説明図である。図２０は、本発明の一実施形態に係る情報記録装置における記録済み領域移動直前のナビゲーションデータ値の一例を示す説明図である。図２１は、本発明の一実施形態に係る情報記録装置における未記録領域、記録領域の変遷の一例を示す変遷図である。図２２は、本発明の一実施形態に係る情報記録装置における各ファイルの初期値と説明の一例を示す説明図である。
【０００９】
＜本発明の一実施形態である情報記録装置＞
（構成）
初めに、本発明の一実施形態である情報記録装置の構成の一例を図１を用いて説明する。情報記録装置は、一例として、通常のＤＶＤ又ＨＤ ＤＶＤ又内蔵ハードディスクを用いて画像情報等を記録し再生するハードディスクレコーダ装置等であり、図１に示すように、地上波デジタル放送やＢＳデジタル放送等のデジタル放送信号を受信するデジタルチューナ１０と、アナログ地上波放送、ＢＳアナログ放送等のアナログ放送信号を受信するアナログチューナ１１と、アナログチューナ１１等から供給される放送信号等をデコード処理するＭＰＥＧエンコーダ１３を有している。
【００１０】
更に情報記録装置は、図１に示すように、デジタルチューナ１０又はＭＰＥＧエンコーダ１３等から映像信号を受けてデータ処理を行なう、また、再生した情報を一時的にバッファリング処理するデータ処理部１４と、ＨＤ ＤＶＤ等の光ディスクＤに対しては、光ディスクＤを回転させ、図示しない光ピックアップからレーザ光を照射し反射光を受光して情報を記録し再生し、ハードディスク等の内蔵型の磁気記録媒体に対しては、図示しない磁気ヘッドを用いて画像情報等を記録し再生するディスクドライブ部１５と、読み出した情報をデコードするＭＰＥＧデコーダ１６と、デコードされた信号に波形整形等を施したり、オーディオ信号を増幅したりする出力部１７と、図示しないリモコンや装置に設けられた操作キー等である操作部１８と、全体の動作を制御し及び後述するＰＳ記録モード又はＴＳ記録モードに応じて管理情報を生成し利用する管理情報処理部を含む制御部１９を有している。
【００１１】
（動作）
このような構成をもつ情報記録装置は、従来のＭＰＥＧ（Moving Picture Expert Group）ファイルやアナログ放送信号、現行ＤＶＤ等の映像信号を扱うＰＳ（Program Stream）録画モードによる記録処理と共に、地上波デジタル放送や、アライブ規格であるＴＳ（Transport Stream）録画モードによる記録処理が可能である。
【００１２】
この情報記録装置においては、例えば、デジタルチューナ１０からのデジタル信号はＴＳ録画モードによりディスクドライブ部１５を介してハードディスクドライブ２１に記録され、アナログチューナ１１からのアナログ信号はＭＰＥＧエンコーダ１３等によりエンコードされて、ディスクドライブ部１５を介してＰＳ録画モードによってハードディスクドライブ２１に記録される。
【００１３】
また、再生される際は、ディスクドライブ部１５によりハードディスクドライブ２１から読み取った信号を後述する第１の管理情報（追いかけ再生時）または後述する第２の管理情報に基づいてデータ処理し、データ処理部１４から処理信号をＭＰＥＧデコーダ１６に供給し、ＭＰＥＧデコーダ１６では、デコードした映像及び音声信号を出力部１７に供給する。出力部１７では適正に映像処理又は増幅処理された映像及び音声信号が図示しないディスプレイやスピーカ等に供給される。
【００１４】
＜管理情報処理＞
次に、上述した情報記録装置において、ハードディスクドライブ２１に対して、ＴＳ録画モード及びＰＳ録画モードで記録し追いかけ再生又は通常の再生を行なうための記録開始時及び記録終了時の管理情報処理を図２及び図３のフローチャートを用いて詳細に説明する。
【００１５】
ユーザ等の操作部１９等の操作により、例えば図１のデジタルチューナ１からの映像信号及び音声信号の記録が指示されることにより、制御部１９の制御下において記録処理が開始される。図１に示す情報記録装置は、複数のデジタルチューナ１０，１１と単一のアナログチューナ１２が設けられており、ＴＳ録画モードによって複数の録画を並行して行なうことができる。また、アナログチューナ１２は単体なのでＰＳ録画モードによる録画は並行して行なわれることがないが、アナログチューナ１２を複数設けることも可能であり、この場合は、同趣旨による並行処理及び管理情報の並行の生成処理が行なわれるものであり、複数のＰＳ録画モードにおける複数の管理情報の生成についてもＴＳ録画モードと同様に、本発明の権利範囲のものである。
【００１６】
初めに、図２及び図３のフローチャートにおいて、記録されるストリームがＰＳ録画モードにより録画されるかどうかが問われる（ステップＳ１１）。ＰＳ録画モードであれば、ＡＶストリームを記録する処理対象ファイルをＰＳ録画用ファイルＦ２とする（ステップＳ１３）。
【００１７】
ここで、本発明に係る情報記録装置が扱うファイルは、図４が示すように、リザーブファイルＦ１、ＰＳ録画用ファイルＦ２、ＰＳダビング用ファイルＦ３、ＴＳ１録画用ファイルＦ４、ＴＳ２録画用ファイルＦ５、ＴＳダビング用ファイルＦ６、ＰＳ保存用ファイルＦ７、ＴＳ保存用ファイルＦ８がある。更に、図２２は、各ファイルの初期値と説明の一例を説明している。
【００１８】
また、ステップＳ１１で、ＰＳ録画モードでなくＴＳ録画モードであれば、ステップＳ１２に進み、ＴＳ録画モードで第１デジタルチューナ１０を用いた録画であるかが問われる（ステップＳ１２）。第１デジタルチューナ１０の録画であれば、処理対象ファイルをＴＳ１録画用ファイルＦ４とする（ステップＳ１５）。第２デジタルチューナ１１の録画であれば、処理対象ファイルをＴＳ２録画用ファイルＦ５とする（ステップＳ１４）。
【００１９】
次に、リザーブファイルＦ１の未記憶領域の所定量を、処理対象ファイル（Ｆ２乃至Ｆ６）に移動する（ステップＳ１６）。そして、処理対象ファイル（Ｆ２乃至Ｆ６）に記録対象となるＡＶストリームの記録が開始される（ステップＳ１７）。
【００２０】
ここで、処理対象ファイルは、ＰＳ録画モードであればＰＳ録画用ファイルＦ２、第１デジタルチューナ１０を用いたＴＳ録画モードであればＴＳ１録画用ファイルＦ４、第２デジタルチューナ１１を用いたＴＳ録画モードであればＴＳ２録画用ファイルＦ５となる。図５の遷移図は、第１デジタルチューナ１０を用いたＴＳ録画モードの際にＴＳ１録画用ファイルＦ４を用いる場合を説明している。
【００２１】
次に、制御部１９の管理情報処理部により、ＡＶストリームを解析しながら、記録開始時による第１の管理情報（ナビゲーションデータ）を作成する（ステップＳ１８）。
【００２２】
ここでは、図１４のような手順で各ＳＯＢが記録される場合について説明している。
【００２３】
なお、ここで、作成される記録開始順序に応じた第１管理情報の一例は、録画モードがＴＳ録画モードであれば、図６に示される管理情報１０１−１乃至１０１−４である。また、第１管理情報は、後述するように記録終了時にファイル格納順序に応じた第２管理情報１０２−１乃至１０２−４に書き換えられる。
【００２４】
また、作成される記録開始順序に応じた第１管理情報の一例は、録画モードがＰＳ録画モードであれば、図７に示される管理情報１０３−１乃至１０３−２である。また、第１管理情報は、後述するようにファイル格納時にファイル格納順序に応じた第２管理情報１０４−１乃至１０４−２に書き換えられる。
【００２５】
ここでは、図８及び図９が示すM_VOB_GIのVROFILE_ID（エンコーダがＰＳの場合）、または図１０及び図１１が示すSOBI_GIのSROFILE_ID（エンコーダがＴＳ１ or ＴＳ２の場合）は処理対象ファイルを意味する値となる。
【００２６】
ここで、図８は、ＶＯＢＩの構成を示しており、図９は、ＶＯＢ General Informationの一例を示している。又、図１０は、ＳＯＢＩの構成を示しており、図１１は、ＳＯＢ General Informationの一例を示している。
【００２７】
また、第１管理情報では、M_AVFIのM_VOBIの並び順（ＰＳ録画モードの場合）、またはSTR_FIのSOBIの並び順（ＴＳ録画モードの場合）は記録開始順に準じる。
【００２８】
また、記録開始時に生成される第１管理情報は、一例として、図１５が示すようにＳＯＢＩの順序が特定される。また、図１６に示すように各ファイルの大きさが特定される。また、図１７に示すように各ストリームの並び順及びアドレスオフセット、ＳＲＯＦＩＬＥのＩＤが与えられる。
【００２９】
次に、処理対象ファイルの未記憶領域のサイズが一定量以下かつ０より大きいかを判断する（ステップＳ１９）。不足していればステップＳ１６に戻り、以下の処理を行なう。不足していなければ、ステップＳ２０に進み、処理対象ファイルの未記憶領域が０（全くない）かどうかを判断する（ステップＳ２０）。０であれば、ステップＳ２２に進む。０でなければ、ユーザにより録画終了の指示があったかを判断する（ステップＳ２１）。録画終了の指示がなければ、ステップＳ１７に戻り、各処理を続行する。録画終了指示があれば、処理対象ファイルに未記録領域がある場合、当該未記録領域をリザーブファイルＦ１に移動する（ステップＳ２２）。
【００３０】
そして、他の処理対象ファイルについて記録中であるかを判断し、他の処理対象ファイルの記録が終了するまで待機する（ステップＳ２３）。他の処理対象ファイルについて記録が終了すると、図３のステップＳ３１に進む。
【００３１】
他の処理対象ファイルについて記録が終了すると、処理対象ファイルとして初めにＰＳ録画用ファイルＦ２を指定する（ステップＳ３１）。そして、処理対象ファイルに記録済み領域があるかを判断する（ステップＳ３５）。
【００３２】
ステップＳ３５で処理対象ファイルに記録済み領域があり、それが、処理対象ファイルがＰＳ録画用ファイルＦ２であると判断されれば（ステップＳ３６）、制御部１９の管理情報処理部の働きにより、図７に示される第２の管理情報１０４−１、１０４−２を生成すべく、制御部１９の管理情報処理部は、ＰＳ保存用ファイルＦ７の記録済み領域サイズｚを取得する（ステップＳ４２）。次に、M_VOB_GIのVROFILE_IDが処理対象ファイルを指すコンテンツのVOB_TMAP_GIのADR_OFSに取得したＰＳ保存用ファイルＦ７の記録済み領域サイズｚを加算する（ステップＳ４３）。そして、処理対象ファイルのM_VOB_GIのVROFILE_IDをＰＳ保存用ファイルＦ７に変更する（ステップＳ４４）。更に、処理対象ファイルの記録済み領域をＰＳ保存用ファイルＦ７の末尾に移動する（ステップＳ４５）。
【００３３】
次に、ＴＳ１及びＴＳ２録画用ファイルＦ４、Ｆ５の両方が既に処理済であるかどうかが判断される（ステップＳ４６）。処理済みであれば全処理が終了し、処理済みでなければステップＳ３２に進み、ＴＳ１録画用ファイルＦ４を既に処理したかどうかを判断する（ステップＳ３２）。
【００３４】
ＴＳ１録画用ファイルＦ４が処理済でなければ、処理対象ファイルとしてＴＳ１録画用ファイルＦ４を指定する（ステップＳ３３）。ＴＳ１録画用ファイルＦ４が処理済であれば、処理対象ファイルとしてＴＳ２録画用ファイルＦ５を指定する（ステップＳ３４）。そして、処理対象ファイルに記録済み領域があれば（ステップＳ３５）、処理対象ファイルがＰＳ録画用ファイルＦ２でないことを確認して（ステップＳ３６）、ＴＳ録画モードの第２の管理情報が生成される。
【００３５】
すなわち、制御部１９の管理情報処理部により、ＴＳ保存用ファイルＦ８のコンテンツサイズｘを取得する（ステップＳ３７）。次に、SOBI_GIのSROFILE_IDが処理対象ファイルを指すコンテンツのSOB_TMAP_GIのSOB_ADR_OFSに、取得したＴＳ保存用ファイルＦ８の記録済み領域サイズｘを加算する（ステップＳ３８）。そして、SOBI_GIのSROFILE_IDが処理対象ファイルを指すコンテンツのSTR_FIに属するSOBIの並び順をソートする（ステップＳ３９）。なお、このソート処理は、ＴＳ保存用ファイルＦ８＞ＴＳ１録画用ファイルＦ４＞ＴＳ２記録用ファイルＦ５の優先順位で行なわれる。
【００３６】
ここで、コンテンツのSOB_TMAP_GIのSOB_ADR_OFSは、図１２及び図１３のＳＯＢ  Ｔｉｍｅ  ＭａｐのＳＯＢ＿ＡＤＲ＿ＯＦＳにより示されている。
【００３７】
これにより、記録が完了してファイルを格納する際にファイル格納順序に応じた画像情報の第２管理情報が生成される。このファイル格納時に生成される第２管理情報は、一例として、ソート処理された結果、図１８が示すようにＳＯＢＩの順序が特定されることで与えられる。また、図１９に示すように各ファイルの大きさが特定される。また、図２０に示すように各ストリーム（ＳＯＢＩ）の並び順及びアドレスオフセット、ＳＲＯＦＩＬＥのＩＤが与えられる。
【００３８】
これらの第２の管理情報は、図６に示される第２管理情報１０２−１乃至１０２−４としても理解することができる。すなわち、図６において、各第１管理情報１０１の自ＩＮＤＥＸ、次のＩＮＤＥＸが、第２管理情報１０２において変化することで、ＳＯＢＩのソート処理がなされたことが理解できる。
【００３９】
更に、処理対象ファイルのSOBI_GIのSROFILE_IDをＴＳ保存用ファイルＦ８に変更する（ステップＳ４０）。そして、処理対象ファイルの記録済み領域をＴＳ保存用ファイルＦ８の末尾に移動する（ステップＳ４１）。
【００４０】
このようなソート処理によって、第２の管理情報は、ＰＳ録画モード及びＴＳ録画モードの規定に応じたものとなり、例えば、ＨＤ ＤＶＤ等の光ディスクＤと共通した手順でデータ処理部１４による処理が可能となるものである。
【００４１】
また、第１の管理情報を録画処理のスタート時に生成することにより、記録時に行なわれる再生処理（いわゆる追いかけ再生）が可能となるものである。これは、再生処理を行なう際に少なくとも記録されたＡＶストリームの管理情報がないと再生処理が行なうことができないためであり、追いかけ再生時には、第１の管理情報を用いて再生処理が可能となるものである。
【００４２】
また、図２１においては、ＴＳ１の管理情報とＴＳ２の管理情報とは、保存領域管理テーブルにおいて、ＴＳ保存領域情報として統一される。
【００４３】
以上、詳細に説明したように、本発明に係る情報記録装置においては、記録開始時には記録開始順序に応じた第１の管理情報を生成することで、『追いかけ再生』を可能とし、記録終了時にはファイル格納順序に応じた第２の管理情報を生成することで、ＨＤ ＤＶＤ等と共通した処理による再生処理が可能となるものである。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４５】
【図１】本発明の一実施形態に係る情報記録装置の構成の一例を示すブロック図。
【図２】本発明の一実施形態に係る情報記録装置における記録時の管理情報の生成処理の一例を示すフローチャート。
【図３】本発明の一実施形態に係る情報記録装置における記録時の管理情報の生成処理の一例を示すフローチャート。
【図４】本発明の一実施形態に係る情報記録装置が扱う複数のファイルの一例を示す説明図。
【図５】本発明の一実施形態に係る情報記録装置における記録領域、未記録領域の遷移の一例を示す遷移図。
【図６】本発明の一実施形態に係る情報記録装置におけるＴＳ録画モードにおける管理情報の変遷の一例を示す説明図。
【図７】本発明の一実施形態に係る情報記録装置におけるＰＳ録画モードにおける管理情報の変遷の一例を示す説明図。
【図８】本発明の一実施形態に係る情報記録装置におけるMovie VOB Information（Ｍ＿ＶＯＢＩ）の一例を示す説明図。
【図９】本発明の一実施形態に係る情報記録装置におけるMovie VOB General Information（Ｍ＿ＶＯＢ＿ＧＩ）の一例を示す説明図。
【図１０】本発明の一実施形態に係る情報記録装置におけるStream Object Information（ＳＯＢＩ）の一例を示す説明図。
【図１１】本発明の一実施形態に係る情報記録装置におけるSOBI General Information（ＳＯＢＩ＿ＧＩ）の一例を示す説明図。
【図１２】本発明の一実施形態に係る情報記録装置におけるSOB Time Map Information（ＳＯＢ＿ＴＭＡＰＩ）の一例を示す説明図。
【図１３】本発明の一実施形態に係る情報記録装置におけるSOB Time Map General Information（ＳＯＢ＿ＴＭＡＰＩ＿ＧＩ）の一例を示す説明図。
【図１４】本発明の一実施形態に係る情報記録装置におけるSOB情報の変遷の一例を示す説明図。
【図１５】本発明の一実施形態に係る情報記録装置における記録終了直後のＳＯＢＩの並び順の一例を示す説明図。
【図１６】本発明の一実施形態に係る情報記録装置における記録終了直後の録画用ファイル、保存用ファイルの状態の一例を示す説明図。
【図１７】本発明の一実施形態に係る情報記録装置における記録終了直後のナビゲーションデータ値の一例を示す説明図。
【図１８】本発明の一実施形態に係る情報記録装置における記録済み領域移動直前のＳＯＢＩの並び順の一例を示す説明図。
【図１９】本発明の一実施形態に係る情報記録装置における記録済み領域移動直前の録画用ファイル、保存用ファイルの状態の一例を示す説明図。
【図２０】本発明の一実施形態に係る情報記録装置における記録済み領域移動直前のナビゲーションデータ値の一例を示す説明図。
【図２１】本発明の一実施形態に係る情報記録装置における未記録領域、記録領域の変遷の一例を示す変遷図。
【図２２】本発明の一実施形態に係る情報記録装置における各ファイルの初期値と説明の一例を示す説明図。
【符号の説明】
【００４６】
Ｄ…光ディスク、１０…デジタルチューナ、１１…デジタルチューナ、１２…アナログチューナ、１３…ＭＰＥＧエンコーダ、１４…データ処理部、１５…ディスクドライブ部、１６…ＭＰＥＧデコーダ、１７…出力部、１８…操作部、１９…制御部（管理情報処理部）。
【図１】
2008027561.tif 000003
【図２】
2008027561.tif 000004
【図３】
2008027561.tif 000005
【図４】
2008027561.tif 000006
【図５】
2008027561.tif 000007
【図６】
2008027561.tif 000008
【図７】
2008027561.tif 000009
【図８】
2008027561.tif 000010
【図９】
2008027561.tif 000011
【図１０】
2008027561.tif 000012
【図１１】
2008027561.tif 000013
【図１２】
2008027561.tif 000014
【図１３】
2008027561.tif 000015
【図１４】
2008027561.tif 000016
【図１５】
2008027561.tif 000017
【図１６】
2008027561.tif 000018
【図１７】
2008027561.tif 000019
【図１８】
2008027561.tif 000020
【図１９】
2008027561.tif 000021
【図２０】
2008027561.tif 000022
【図２１】
2008027561.tif 000023
【図２２】
2008027561.tif 000024